(57)【特許請求の範囲】
【請求項１】
ベースン床上の複数の横方向スクリーンのための水平調整押さえ付け装置であって、
対向する端部を持つ複数のプレートと、前記対向する端部の各々が少なくとも１つのねじ付き開口を持ち、各プレートは横方向スクリーンとベースン床との間にフィットし、該横方向スクリーンの長手側部に沿って前記ねじ付き開口が露出され、
前記プレートの前記ねじ付き開口内に螺合し、前記ベースン床に対して前記プレートの水平を調整する複数の調整用ボルトと、
隣合う前記プレートの端部の間で前記横方向スクリーンの隣接するものの上に配置された複数のバーであって、該バーは、該隣合う前記プレートの端部及び前記横方向スクリーンの隣接するものの前記長手側部に係合し、かつ、前記ベースン床にアンカーで止められる前記複数のバーと、
を具備する水平調整押さえ付け装置。
【請求項２】
前記複数のプレートは、前記対向する端部として外側用端部と内側用端部とを有する第１のプレートを複数含み、前記第１のプレートの各々が、前記外側用端部にて２つのねじ付き開口を持つと共に前記内側用端部にて１つのねじ付きの開口を持つ、請求項１の装置。
【請求項３】
前記複数のバーは、前記ベースン床に取り付けられるアンカーにフィットする開口を有する第１のバーを複数含み、前記第１のバーの一端が前記第１のプレートの前記端部の一方及び前記横方向スクリーンの前記長手側部の一方に係合する、請求項２の装置。
【請求項４】
前記第１のバーの各々の一端が、前記第１のプレートの前記外側用端部における前記２つのねじ付き開口の間の切り取り内に配置される、請求項３の装置。
【請求項５】
前記複数のプレートは、前記対向する端部の一方に設けられた第１のねじ付き開口と前記対向する端部の他方に設けられた第２のねじ付き開口とを有する第２のプレートを複数含み、前記第１及び第２のねじ付き開口は前記第２のプレートの軸線を挟んで互いに反対側に配置される、請求項１の装置。
【請求項６】
前記複数のバーは、前記ベースン床に取り付けられるアンカーにフィットする開口を有する第２のバーを複数含み、前記第２のバーの対向端が隣合う前記プレートの前記端部及び隣接する前記横方向スクリーンの前記長手側部に係合する、請求項５の装置。
【請求項７】
前記第２のバーの各々の一端が、前記第２のプレートの前記端部における前記ねじ付き開口の間の切り取り内に配置される、請求項６の装置。
【請求項８】
前記複数のプレートの各々は、底部と、該底部の両端において上向きに延びた縁部とを含む、請求項１の装置。
【請求項９】
前記ねじ付き開口は、前記上向きに延びた縁部に取り付けられたナットからなる、請求項８の装置。
【請求項１０】
ベースン床のための暗渠システムであって、
前記ベースン床上に互いに平行に配置された複数の横方向スクリーンと、
対向する端部を持つ複数のプレートと、前記対向する端部の各々が少なくとも１つのねじ付き開口を持ち、各プレートは横方向スクリーンとベースン床との間にフィットし、該横方向スクリーンの長手側部に沿って前記ねじ付き開口が露出され、
前記プレートの前記ねじ付き開口内に螺合し、前記ベースン床に対して前記プレートの水平を調整する複数の調整用ボルトと、
隣合う前記プレートの端部の間で前記横方向スクリーンの隣接するものの上に配置された複数のバーであって、該バーは、該隣合う前記プレートの端部及び前記横方向スクリーンの隣接するものの前記長手側部に係合し、かつ、前記ベースン床にアンカーで止められる前記複数のバーと、
を具備する暗渠システム。
【請求項１１】
前記複数のプレートは、前記対向する端部として外側用端部と内側用端部とを有する第１のプレートを複数含み、前記第１のプレートの各々が、前記外側用端部にて２つのねじ付き開口を持つと共に前記内側用端部にて１つのねじ付きの開口を持つ、請求項１０のシステム。
【請求項１２】
前記複数のバーは、前記ベースン床に取り付けられるアンカーにフィットする開口を有する第１のバーを複数含み、前記第１のバーの一端が前記第１のプレートの前記端部の一方及び前記横方向スクリーンの前記長手側部の一方に係合する、請求項１１のシステム。
【請求項１３】
前記第１のバーの各々の一端が、前記第１のプレートの前記外側用端部における前記２つのねじ付き開口の間の切り取り内に配置される、請求項１２のシステム。
【請求項１４】
前記複数のプレートは、前記対向する端部の一方に設けられた第１のねじ付き開口と前記対向する端部の他方に設けられた第２のねじ付き開口とを有する第２のプレートを複数含み、前記第１及び第２のねじ付き開口は前記第２のプレートの軸線を挟んで互いに反対側に配置される、請求項１０のシステム。
【請求項１５】
前記複数のバーは、前記ベースン床に取り付けられるアンカーにフィットする開口を有する第２のバーを複数含み、前記第２のバーの対向端が隣合う前記プレートの前記端部及び隣接する前記横方向スクリーンの前記長手側部に係合する、請求項１４のシステム。
【請求項１６】
前記第２のバーの各々の一端が、前記第２のプレートの前記端部における前記ねじ付き開口の間の切り取り内に配置される、請求項１５のシステム。
【請求項１７】
前記複数のプレートの各々は、底部と、該底部の両端において上向きに延びた縁部とを含む、請求項１０のシステム。
【請求項１８】
前記ねじ付き開口は、前記上向きに延びた縁部に取り付けられたナットからなる、請求項１７のシステム。
【請求項１９】
ベースン床上の複数の横方向スクリーンのための水平調整押さえ付け方法であって、
前記ベースン床上に複数の横方向スクリーンを配置することと、
前記横方向スクリーンと前記ベースン床との間に、該横方向スクリーンの長さに沿って複数のプレートを配置することと、
前記複数のプレートに設けた調整用ボルトにより、前記横方向スクリーンの長さに沿って水平を調整することと、
前記複数のプレートに近接して前記ベースン床に複数のバーをアンカーすることと、
前記複数のバーにより、前記複数のプレート及び前記横方向スクリーンの長手側部を係合すること
からなる方法。
【発明の詳細な説明】
【技術分野】
【０００１】
本発明は、横方向（ラテラル）スクリーン用の水平調整押さえ付け機構に関する。
【背景技術】
【０００２】
ここでその出典を示すことによって本明細書の一部とするMaxson氏に付与された米国特許第5,156,738号（特許文献１）は、平坦なベース板上に配設された湾曲したスクリーン（screen: 濾過器）を有する暗渠システムを記載している。この暗渠システムは、媒体床（media bed）の下に位置しており、該媒体床の上方のオーバーフロートラフ（谷）を出る液体（通常は水）が該媒体を通りぬけることができるようになっている。
通常動作中は、媒体床を通りぬけた水は、暗渠システム内及びスクリーン内に落下する。スクリーンは、媒体床を構成している小さい粒子を留めるように寸法付けられた狭いスロットを持つ。しかし、スクリーンを通過する水は、次々に暗渠システムから放出され得る。通常動作とは反対に、逆流モードは媒体を洗浄するのに使用され得る。逆流モードにおいては、水及び空気は、スクリーン及び媒体床を通って均一になるように上向きに指向され、以前に濾過された物質及び媒体床によって捕捉された物質がオーバーフロートラフを通して放出され得るようになる。
【０００３】
暗渠システムは、ステンレススチールで構成され、細長で平坦なベースプレートの２つの上に曲がった側縁部分の間に位置されたスクリーン部を有する。そのスクリーン部は、らせん状に回っていて、例えばGeske氏の米国特許第4,096,911号（特許文献２）で述べられたようにチャンネル状のベース支持部に対して溶接された金属ワイヤによって形成される。
【０００４】
暗渠システムのための横方向アセンブリを形成するスクリーン及びベースプレートは、かなり大きくされ得るものであり、しばしば３０フィートの寸法を持つが、より典型的には約２０フィートの長さである。従来技術においては、上述したような横方向アセンブリは、金属で形成される。従って、このようなアセンブリはその重さ故に持ち運び及び組み立てが困難である。更に、これらの金属製アセンブリが海水又は塩水と共に使用されるべき場合、例えステンレススチールで製造されたとしても、腐食にさらされる。加えて、ステンレススチールはかなり高価であるため、これらの金属製アセンブリのベースプレートは通常は比較的薄いものであり、所定位置及び基礎床に対する平坦さを維持するために十分な数の固定具が提供されない限り、使用中に曲がってしまう。
【０００５】
そのような金属製アセンブリに関連した挑戦課題のいくつかを克服するために、別の暗渠スクリーンが米国特許第5,618,426号（特許文献３）において開示されており、その全部が引用によって本書に組み込まれる。図１Ａ〜１Ｂに示すように、横方向スクリーン１０は、湾曲スクリーン要素２０と、剛体の押し出し成形されたベースプレート５０とを含む。前記横方向スクリーン１０は、ジョンソンスクリーン社の暗渠システムTriton（登録商標）の横方向スクリーンに似たものとすることができる。
【０００６】
前記スクリーン１０は、水処理用途に使用可能である。水処理ベースン（水盤形容器）の底に設置された場合、前記横方向スクリーン１０は、フィルタ媒体を直接に保持しながら、水を集めて配分する。前記ベースプレート５０は、ニトリルまたはネオプレンゴムで構成されたフィルタ用シール５５のための中央開口部５４を有し、前記横方向スクリーン１０は、その両端が成形されたプラスチック製の端キャップ８０によって閉じられることができる。ベースンに設置されている場合、前記フィルタ用シール５５は、前記ベースンの床部を貫通するドロップパイプ（図示せず）の端に嵌合している。
【０００７】
前記スクリーン要素２０は、前記ベースプレート５０の長手縁に沿う溝５２に滑り込んでおり、押出ポリ塩化ビニールで構成されている。前記スクリーン要素２０は、Ｕ字状の溝ロッド３０の周りに巻回されていて溝リブ３４への各交点において前記溝ロッド３０に溶接されたＰＶＣワイヤ４０（例えば、Vee-Wire（登録商標））で構成されている。また、前記スクリーン要素２０は、ステンレス鋼または前記スクリーンが使用される処理によって必要されるもののような他の材料からできていてよい。
【０００８】
前記スクリーン要素２０上において、前記ワイヤ４０およびロッド３０は、媒体を保持し、フィルタされた（ろ過された）液体を収集するための小さな開口を形成している。液体流動時において、前記小さな開口は、互いに協働して、前記スクリーン要素２０に出入りする水および空気の流れを一様に制御するための流れ分布システムを形成する。
【０００９】
ある実施の形態において、前記暗渠スクリーン１０が長い長さを有するのが望ましい。しかしながら、このような長いスクリーン１０は、該長いスクリーン１０が設置されることになる大きなベースンの平坦度の変化によって、追加的な水平調整（leveling）及び押さえ付け能力を必要とする。典型的には、これは、より大きな水処理または脱塩設備用となる。
【００１０】
より小さな設備において、前記ベースンの床高さの変化は、典型的には、１／４インチの範囲内に規定されている。このようにして、前記暗渠スクリーン１０は、高度の水平調整を必要とすることなく、好適に設置され、使用され得た。しかしながら、より大きなベースンでは、１／４インチの平坦度公差を維持することは難しいことがある。ある場合、設置業者によって、シム（はさみ金ワッシャー）またはその他のスペーサシステムが前記暗渠スクリーン１０の下に設けられる必要がある。
【００１１】
ステンレス鋼製の暗渠スクリーンは、より大きなベースンに対して水平調整され得るよう、該スクリーンの側部に溶接された水平調節ねじを有することができる。これらの水平調節ねじの頭頂部は、溝で押さえ付けられ、前記暗渠スクリーンを所定位置に保持し、動作時に水平調節ねじが動くのを阻止する。この形態の水平調整および押さえ付けは、ＰＶＣのようなプラスチック製のスクリーンには利用できない。
【００１２】
その代わりに、図１Ｃに示すように、プラスチック製のスクリーンの横方向暗渠スクリーン１０を水平調整し、ベースンＢに保持するための一般的な方法は、シム７０および上方押さえ付けバー６０を使用する。必要な場合、オペレータは、前記スクリーン１０の長手方向に沿って該スクリーン１０の下方にシム７０を嵌入する。前記スクリーン１０を押さえ付けるために、オペレータは、前記押さえ付けバー６０を前記スクリーン１０の頂部上に設置する。これらの押さえ付けバー６０は、アンカーボルト６５によってベースンの床部に固定され、前記横方向暗渠スクリーン１０の長手方向に対して直角に延びている。
【先行技術文献】
【特許文献】
【００１３】
【特許文献１】米国特許第5,156,738号
【特許文献２】米国特許第4,096,911号
【特許文献３】米国特許第5,618,426号
【発明の概要】
【００１４】
本発明は、上述した問題点の1または複数を克服し、または、該問題点の1または複数の影響を少なくとも減少させることを目的とする。
本発明に係る水平調整押さえ付け装置は、ドロップパイプを持つベースン（水盤）の床の上で複数の横方向スクリーンと共に使用される。横方向スクリーンは、ＰＶＣのようなプラスチック又はその他の非金属材質で構成される。この機構は、内側用及び外側用のアセンブリ（組み立て体）を含む。外側用のアセンブリは、ベースン床上に配置される複数の横方向スクリーンの隣接する行の両端で横方向スクリーンを支持する。内側用のアセンブリは、ベースン床上に横並びに配置される隣接する横方向スクリーンの間を支持する。
【００１５】
外側用のアセンブリは、調整ボルトのために外側の縁部に取り付けられた２つのナットと、調整ボルトのために内側の縁部に取り付けられた１つのナットとを備えた支持プレートを有する。これらの支持プレートは横方向スクリーンの長さに沿って該スクリーンの下側にフィットし、外側用の押え付けバーが、公知の技術を使用してベースン床に取り付けられたアンカーボルトにフィットする。これらのバーの縁部は、横方向スクリーンのベース部の外側エッジに対して保持される。
【００１６】
内側用のアセンブリは支持プレートを有するが、この支持プレートは、調整ボルトのために該プレートの各縁部に交互に取り付けられた１つのナットを有する。これらの支持プレートは、別の横方向スクリーンの隣に位置されるとき、横方向スクリーンの長さに沿って該スクリーンの下側にフィットする。内側用の押え付けバーが、公知の技術を使用してベースン床に取り付けられたアンカーボルトにフィットする。これらのバーの縁部は、横方向スクリーンのベース部のエッジに対して保持される。この機構は、複数の横方向スクリーンの個別の水平調整を、短い間隔で行えるようにし、結果的に、より容易（すなわち低コスト）且つより正確な取り付けができるようにする。
【００１７】
なお、上述の概要説明は、可能性のある各実施例又は本発明で開示する各観点を要約することを意図するものではない。
【図面の簡単な説明】
【００１８】
【図１Ａ】従来技術に従う横方向スクリーンアセンブリの端面図。
【００１９】
【図１Ｂ】該横方向スクリーンアセンブリの側面図。
【００２０】
【図１Ｃ】従来の押さえ付けバーを備えたベースン（水盤形容器）内に収納された横方向スクリーンの斜視図。
【００２１】
【図２Ａ】本発明の教示内容に従う水平調整押さえ付け機構を有する横方向スクリーンの斜視図。
【図２Ｂ】該横方向スクリーンの端面図。
【００２２】
【図３Ａ】本発明の教示内容に従う水平調整押さえ付け機構の外側用水平調整プレートの上面図。
【図３Ｂ】該外側用水平調整プレートの側面図。
【００２３】
【図４Ａ】本発明の教示内容に従う水平調整押さえ付け機構の内側用水平調整プレートの上面図。
【図４Ｂ】該内側用水平調整プレートの側面図。
【００２４】
【図５Ａ】外側用の押さえ付けバーの斜視図。
【図５Ｂ】該外側用の押さえ付けバーの上面図。
【図５Ｃ】該外側用の押さえ付けバーの端面図。
【図５Ｄ】該外側用の押さえ付けバーの側面図。
【００２５】
【図６Ａ】内側用の押さえ付けバーの斜視図。
【図６Ｂ】該内側用の押さえ付けバーの上面図。
【図６Ｃ】該内側用の押さえ付けバーの端面図。
【図６Ｄ】該内側用の押さえ付けバーの側面図。
【００２６】
【図７Ａ】別の押さえ付けバーの側面図。
【図７Ｂ】更に別の押さえ付けバーの側面図。
【００２７】
【図８Ａ】ドロップパイプを持つベースンの平面図及び組み立て過程における横方向スクリーンの配置を示す図。
【図８Ｂ】別の組み立て過程におけるその平面図。
【００２８】
【図９Ａ】横方向スクリーンに外側用の水平調整プレート及び押さえ付けバーを組み立てる際の１手順を示す図。
【図９Ｂ】その際の別の手順を示す図。
【図９Ｃ】その際の更に別の手順を示す図。
【００２９】
【図１０Ａ】横方向スクリーンに組み付けられた外側用の水平調整プレート及び押さえ付けバーの側面図。
【図１０Ｂ】図１０Ａの平面図。
【００３０】
【図１１】組み立て過程における次の横方向スクリーンの配置を示す平面図。
【００３１】
【図１２Ａ】横方向スクリーンに組み付けられた内側用の水平調整プレート及び押さえ付けバーの側面図。
【図１２Ｂ】図１２Ａの平面図。
【発明を実施するための形態】
【００３２】
図２Ａおよび図２Ｂは、本発明の教示内容に従う水平調整押さえ付け機構１２０を有する横方向スクリーン１００Ａ，１００Ｂの斜視図および端面図である。この水平調整（leveling: レベリング）押さえ付け機構１２０は、前記横方向スクリーン１００Ａ，１００Ｂを水平状態に維持し、暗渠システムにおいて通常動作（下向き流）および逆流（上向き流）時に該スクリーン１００Ａ，１００Ｂを所定位置に保持するのに役立つ。該横方向スクリーン１００Ａ，１００Ｂは、ジョンソンスクリーン社の暗渠システムTriton（登録商標）横方向暗渠スクリーンに類似したものであってよい。
【００３３】
使用時において、該横方向スクリーン１００Ａ，１００Ｂは、濾過材を直接的に保持しながら水を集めて分配する。この目的のために、各スクリーンは、ベースプレート１１２の長手エッジ（縁）１１６に沿って溝１１４に滑り込むスクリーン要素１１０を有する。図示はしないが、前記スクリーン要素１１０は、上述のように“Ｕ”字状の溝ロッドの周囲に巻回され、該溝ロッドに溶接されたＰＶＣ Vee-Wire（登録商標）で構成されている。さらに、前記ベースプレート１１２は、押出し成形されたＰＶＣで構成されていて、シール材（密封材）等を介してドロップパイプに取り付けるための中央開口（図示せず）を有する。また、前記スクリーン要素１１０は、ステンレス鋼または前記スクリーンが使用される処理によって必要とされる材料、のような他の材料で作られていてもよい。
【００３４】
前記機構１２０は、ベースンにおける前記横方向スクリーン１００Ａ，１００Ｂの位置に応じて、２つの異なる設置用押え付けアセンブリ１２３，１２５を使用する。外側の押え付けアセンブリ１２３は、水平調整ボルト１３８を有する外側用の水平調整ブレート１３０と、アンカーボルト１４６を有する外側用の押さえ付けバー１４０とを備えている。前記スクリーン１００Ａ，１００Ｂは、通常、ベースンの床部に並んで設置されるので、後述の如く、該外側用の押え付けアセンブリ１２３は、該ベースンのいずれかの端に位置する端部の又は最後のスクリーン１００Ａのために使用される。内側用の押え付けアセンブリ１２５は、水平調整ボルト１５８を有する内側用の水平調整ブレート１５０と、アンカーボルト１６６を有する内側用の押さえ付けバー１６０とを備えている。この内側用の押え付けアセンブリ１２５は、後述の如く、前記ベースンの床部上において２つの隣接するスクリーン１００Ａ，１００Ｂの間で使用される。
【００３５】
前記プレート１３０，１５０、バー１４０，１６０、ボルト１３８，１５８等は、前記横方向スクリーン１００Ａ，１００Ｂに溶接または固着されたものではなく、該スクリーン１００Ａ，１００Ｂから分離した構成要素である。これにより、設置時における前記スクリーン１００Ａ，１００Ｂのより容易な調節および配置が可能になり、また、前記プラスチック製の横方向スクリーン１００Ａ，１００Ｂのより正確な水平調整が可能になる。これは、従来は、より不確実な方法でシム（はさみ金ワッシャー）を使用して典型的に水平調整されていたものである。
【００３６】
図２Ａおよび図２Ｂに示され、後で詳述されるように、前記水平調整プレート１３０，１５０は、前記横方向スクリーン１００Ａ，１００Ｂの底部を該スクリーン１００Ａ，１００Ｂの長手方向に沿った適当な間隔で支持する。前記スクリーン１００の長手方向に沿った前記水平調整プレート１３０，１５０間の間隔は、前記ベースン内における水および濾過材の重量、および、逆流時の予想される水圧に応じて決められる。前記水平調整プレート１３０，１５０の側部の前記水平調整ボルト１３８，１５８は、前記スクリーン１００Ａ，１００Ｂを効果的に水平調整させるために、前記プレート１３０，１５０および前記プレート１３０，１５０の被支持部を上昇させるために使用可能である。
【００３７】
ねじ付の前記アンカーボルト１４６，１６６が、前記ベースン内におけるそれらの位置に応じて、スクリーン１００Ａ，１００Ｂの次に若しくはそれらの間に配置され、そして、押さえ付けバー１４０，１６０が該ねじ付アンカーボルト１４６，１６６に取り付けられる。それから、ナット及びワッシャーが該バー１４０，１６０をスクリーン１００Ａ，１００Ｂ及びプレート１３０，１５０にクランプする。該バー１４０，１６０は、隣接する水平調整ボルト１３８，１５８の如何なる回転運動でも制限するようなサイズ及び位置とされる。
【００３８】
水平調整押さえ付け機構１２０の各構成要素は様々な材料で作成され得るものであり、淡水化プラント又はその他の腐食性の環境において要求されるとき、いかなる特殊合金でも使用され得る。また、該機構１２０の各構成要素は標準化され得るし、変形することなく多くの設備で使用され得る。結局、該機構１２０は、従来のシステムに備わったプラスチック製の横方向スクリーン１００Ａ，１００Ｂでは適切に押さえつけして水平調整することができなかったために、以前は使用できなかったような応用場面においてプラスチック製の横方向スクリーン１００Ａ，１００Ｂを使用され得るようにできる。
【００３９】
図３Ａ及び３Ｂに示すように、外側用水平調整プレート１３０は、上方に延びた側部又は縁部１３２ｏ，１３２ｉを持ち、該側部の上面にはノッチ（切り込み、切り取り）１３４が形成されている。複数のナット１３６が側部１３２ｏ，１３２ｉに溶接されるが、側部１３２ｏ，１３２ｉ内にねじ付き開口を含むような別の手法を使用してもよい。特に、外側寄りの側部１３２ｏはノッチ１３４の両側に２つのナット１３６を持つが、内側寄りの側部１３２ｉはノッチ１３４の片側に１つのナット１３６を持つ。図２Ａ，２Ｂに示したように、調整ボルト１３８はこれらの側部ナット１３６内に取り付けられ、以下に述べるように、ベースンの床部上に配置したときにプレート１３０の水平レベルを調整するようになっている。
【００４０】
図４Ａ，４Ｂに示すように、内側用水平調整プレート１５０も、上面にノッチ１５４を規定する上方に延びた側部又は縁部１５２ｏ，１５２ｉを持つ。多数のナット１５６が側部１５２ｏ，１５２ｉに溶接されるが、側部１５２ｏ，１５２ｉ内にねじ付き開口を含むような別の手法を使用してもよい。特に、外側寄りの側部１５２ｏはノッチ１５４の片側に１つのナット１５６を持つ一方で、内側寄りの側部１５２ｉはノッチ１５４の反対側に１つのナット１５６を持つ。図２Ａ，２Ｂに示したように、調整ボルト１５８はこの側部ナット１５６内に取り付けられ、以下に述べるように、ベースンの床部上に配置したときにプレート１５０の水平レベルを調整するようになっている。
【００４１】
図５Ａ〜５Ｄに示すように、外側用の押さえ付けバー１４０は、外側端の方に中心からずれて位置する通し孔１４２を持つ。該バー１４０の延びた端部１４４は、例えば図２Ａ，２Ｂに示したように、１つの横方向スクリーン１００のエッジ１１６を押さえ付けるために使用され得る。バー１４０の内側端は、スクリーン要素１１０がダメージを受けないように、チャンファー１４６を持ち得る。
【００４２】
図６Ａ〜６Ｄに示すように、内側用の押さえ付けバー１６０は、中心に規定された通し孔１６２を持つ。該通し孔１６２の両側に延びた端部１６４は、例えば図２Ａ，２Ｂに示したように、隣接する２つの横方向スクリーン１００Ａ，１００Ｂのエッジ１１６を押さえ付けるために使用され得る。スクリーン要素１１０がダメージを受けないように、バー１６０の両方の端部がチャンファー１６６を持ち得る。
【００４３】
図７Ａ，７Ｂに示したいくつかの変形例において、内側用の押さえ付けバー１６０は、隣接する支持プレートの間でアセンブリ内に組み付けられるときにそれを中央に置くための中央リムを持ち得る。また、スクリーン（図示せず）との接触をなくす又は高めるために、図７Ｂに示すように、該バー１６０の外側エッジがテーパー付けられ得る。
【００４４】
水平調整押さえ付け機構１２０の各構成要素について理解した上で、次に、ベースン内において該機構１２０を用いて横方向スクリーン１００Ａ，１００Ｂを組み付けるための手順について説明する。まず、作業者は、押さえ付けプレート１３０，１５０内に水平調整ボルト１３８，１５８を組み付け、該ボルト１３８，１５８の先端を該プレート１３０，１５０の底面に接触させる。
【００４５】
図８Ａに示すように、作業者は、ベースンＢの床上の両端に、最初の横方向スクリーン１００Ａ及び最後の横方向スクリーン１００Ｎを置く。スクリーンの基部（ベースプレート）１１２は、本書では詳述しない公知の手順及び付属品を用いて、ドロップパイプＰの端部に取り付けられる。スクリーン１００Ａ，１００Ｎは、ベースンＢの床を貫通している複数のドロップパイプＰの配列線に対して直角をなすように配置される。ドロップパイプＰの配列線に対して直角をなすように配置したら、作業者は、いずれのスクリーン１００Ａ，１００ＮもベースンＢの壁に干渉していないことを確認する。次に、作業者は、各端部について２つのスクリーン１００Ａ，１００Ｎの間を測定し、該端部が等距離で離隔していることを確認する（すなわち、測定距離ＤＩＭ“Ａ”とＤＩＭ“Ｂ”が等しくなるべきである）。
【００４６】
次に、図８Ｂに示すように、作業者は、ベースンＢの一端に位置する最初の横方向スクリーン１００Ａの下に、接触調整ボルト１３８を備えた複数の外側用水平調整プレート１３０を組み付ける。最初の横方向スクリーン１００Ａの長さをずらして（work down）、作業者は、アンカーボルト１４６用の外側孔の位置をマークする。これらの位置をマーキングする間、作業者は、プレート１３０が横方向スクリーン１００Ａに対して直角であることを確認する。
【００４７】
図９Ａに示すように、作業者は、アンカーボルト（１４６）用に穿孔されるべき複数の孔の位置をマークするためのガイドとして、外側用の押さえ付けバー１４０を使用し得る。適切な配置のために、外側用の押さえ付けバー１４０は、スクリーンのベースプレート１１２のエッジ１１６の中央点を少なくとも行き過ぎるように（エッジ１１６の横幅の半分以上に掛かるように）好ましく配置されるが、スクリーン要素１１０には接触しないようにする。予期されるように、押さえ付けバー１４０の斜めのエッジはベースプレートのエッジ１１６に適している。
【００４８】
配置位置がマークされると、作業者は、公知のやり方でベースンのコンクリート床をドリルで穴あけする。アンカー孔を吸引してドリル後の屑を清掃し、作業者は、押さえ付けバー１４０を整列用のガイドとして使用しつつ、アンカーボルト（１４６）を公知の手法で組み付ける。使用するアンカーボルト１４６のタイプに依存して、１以上のスクリーン要素１１０のために様々なアンカー孔が、ベースンの床上にスクリーンアセンブリの構成部品を設置する前に、又は設置の最中に、あるいは設置後に、穿孔され得る。孔を予めドリル開けすることは、アンカーボルト１４６が化学的に設置されるときに有益かもしれない。しかし、アンカー孔の各セットがドリル開けされることができ、作業者が別のタイプのアンカーをベースンの床に沿って組み付ける作業を継続しているときに、ボルト１４６が各スクリーン要素毎に別々に設置される。
【００４９】
アンカーボルト１４６が図９Ｂに示すように組み付けられたら、作業者は、水平調整プレート１３０の側部に配置された水平調整ボルト１３８を使用して、所定の許容範囲内まで横方向スクリーン１００Ａを水平調整することを開始する。一例において、横方向スクリーン１００Ａは、該スクリーンの全長の±０，２５″（秒）以下の許容範囲内に水平調整される。従って、作業者は、好ましくは、測量士の水準器を使用する。その趣旨は、１つのスクリーン１００を別のスクリーンに対してレベル調整するのではなく、各スクリーン１００を或る特定の許容範囲内に水平調整するということにある。しかし、この目的を達成するために水平調整システムが使用されてもよい。
【００５０】
図９Ｃに示すように、作業者は、アンカーボルト１４６に六角ナット１４７を装着し、水平調整プレート１３０に形成されたノッチ１３４と同一面になるようにする。この時点で、作業者は、ねじ溝付きのアンカーボルト１４６に外側用の押さえ付けバー１４０を取り付け、ワッシャー１４９及びナット１４８ａ，１４８ｂを該バー１４０の上面に組み付ける。まず、下寄りのナット１４８ａが手で締めつけられ、水平調整ボルト１３８が僅かに調整され得て、押さえ付けバー１４０が該ボルト１３８の頭部の間でぴったりとフィットできるようにする。この時点で、使用されるアンカーシステムの要求に応じて、ナット１４８ａが締めつけられ得る。例えば、機械式（くさび／拡張）スタイルのアンカーボルト１４６が使用されるならば、ナット１４８は、仕様に従うトルクまで締めつけられる。固着式スタイルのアンカーボルト１４６が使用されるならば、アンカーボルト１４６の固着はナット１４８を締めつける前に完了（治癒）されるべきである。
【００５１】
押さえ付けバー１４０が望みのレベルまで締めつけられたら、作業者は、２番目の六角ナット１４８ｂをねじ溝付きのアンカーボルト１４６に装着し、締めつけられた六角ナット１４７に対してロックする。結局、図１０Ａ，１０Ｂに示すように、外側用の押さえ付けアセンブリ１２３は、最初の横方向スクリーン１００Ａの外側の長手エッジ１１６を押さえ付ける。
【００５２】
上述のように最初の横方向スクリーン１００Ａが組み付けられると、作業者は、図１１に示すように、次の横方向スクリーン１００Ｂの組み付けにとりかかる。作業者は、ベースンＢ内で、組み付け済のスクリーン１００Ａの隣に次の横方向スクリーン１００Ｂを置く。この２番目のスクリーン１００Ｂのために、作業者は、内側用の水平調整プレート１５０を該スクリーン１００Ｂの下側に所定の配置で組み付ける。それから、作業者は、２つのスクリーン１００Ａ，１００Ｂ間のスペーサーとして内側用の押さえ付けバー１６０を使用する。再び、内側用の押さえ付けバー１６０は、スクリーン要素１１０に接触しないようにされるべきであり、しかし、ベースプレート１１２のエッジ１１６の中央点を行き過ぎた半分よりもそれ以上に位置されないようにもすべきである。
【００５３】
これらの手順の最中に、作業者は、隣合う押さえ付けプレート１３０，１５０のノッチの内側で押さえ付けバー１６０を真っ直ぐにする。また、これを行う間に、作業者は、該内側用の押さえ付けバー１６０に対して水平調整ボルト１３８、１５８の頭部を真っ直ぐにする。前述したように、作業者は、該内側用の押さえ付けバー１６０をガイドとしてベースン床にドリル開けする孔の位置をマークする。マークしたら、作業者は、コンクリートに孔を開け、孔開けによる塵を清掃し、整列用ガイドとして押さえ付けバー１６０を使用してアンカーボルト１６６を装着する。孔のドリル開けは、また、前述したように、最初に（スクリーンが組み付けられる前に）、孔がレイアウトされドリル開けされるようにしてもよい。どちらの手順で処理するかは、作業者の裁量で行ってよい。よくあるように化学的なアンカーが使用される場合は、作業者はドリルで孔を開けて全てのアンカーを取り付け、そして所定の完了（治癒）時間で完了（治癒）する。
【００５４】
アンカーボルト１６６が組み付けられたら、作業者は、図１２Ａ，１２Ｂに示すように、押さえ付けプレート１５０の両側に配置された水平調整ボルト１５８を使用して所定の許容範囲内にスクリーン１００Ｂを水平調整することを開始する。スクリーン１００Ｂが水平調整された後、作業者は、アンカーボルト１６６に内側用の押さえ付けバー１６０を組み付けることを始める。水平調整ボルト１３８，１５８は、該ボルトの頭部の間で押さえ付けバー１６０がぴったりとフィットできるように幾分調整される必要があるかもしれない。内側用の押さえ付けバー１６０に対して水平調整ボルトの頭部が真っ直ぐにされつつ、、該押さえ付けバー１６０は押さえ付けプレート１３０、１５０のノッチの内側で真っ直ぐにされる。
【００５５】
真っ直ぐにし終えたら、作業者は、ワッシャー１６９及び六角ナット１６８ａをアンカーボルト１６６に置き、内側用の押さえ付けバー１６０に六角ナット１６８ａを締めつける。再び、この締めつけは前述の手順で行われる。最後に、２番目の六角ナット１６８ｂをアンカーボルト１６６に組み付け、締めつけられた六角ナット１６８ａに対してロックする。結局、内側用の押さえ付けアセンブリ１２５は、図１２Ａ，１２Ｂに示すように、横方向スクリーン１００Ａ，１００Ｂを保持する。
【００５６】
同様の手順が、必要な数の横方向スクリーン１００Ａ〜１００ＮがドロップパイプＰに組み付けられて水平調整押さえ付け機構１２０によって支持されるまで、図８Ａ，８ＢのベースンＢの長さに沿って繰り返される。
【００５７】
上述した好ましい実施例及びその他の実施例の説明は、出願人が考慮する発明概念の範囲若しくは適用可能性を限定又は制限しようとするものではない。ここに含まれる発明概念を開示することの交換として、出願人は、添付の特許請求の範囲によって与えられる全ての権利を欲する。よって、添付の特許請求の範囲は、その範囲内又はその均等物内に属するすべての範囲の変形例及び変更例を含むものと意図される。
【符号の説明】
【００５８】
１００，１００Ａ，１００Ｂ  横方向スクリーン
１１０  スクリーン要素
１１２  ベースプレート
１１４  溝
１１６  長手エッジ
１２０  水平調整押さえ付け機構
１２３，１２５  押さえ付けアセンブリ
【図１Ａ】
0005344652.tif 000002
【図１Ｂ】
0005344652.tif 000003
【図１Ｃ】
0005344652.tif 000004
【図２Ａ】
0005344652.tif 000005
【図２Ｂ】
0005344652.tif 000006
【図３Ａ】
0005344652.tif 000007
【図３Ｂ】
0005344652.tif 000008
【図４Ａ】
0005344652.tif 000009
【図４Ｂ】
0005344652.tif 000010
【図５Ａ】
0005344652.tif 000011
【図５Ｂ】
0005344652.tif 000012
【図５Ｃ】
0005344652.tif 000013
【図５Ｄ】
0005344652.tif 000014
【図６Ａ】
0005344652.tif 000015
【図６Ｂ】
0005344652.tif 000016
【図６Ｃ】
0005344652.tif 000017
【図６Ｄ】
0005344652.tif 000018
【図７Ａ】
0005344652.tif 000019
【図７Ｂ】
0005344652.tif 000020
【図８Ａ】
0005344652.tif 000021
【図８Ｂ】
0005344652.tif 000022
【図９Ａ】
0005344652.tif 000023
【図９Ｂ】
0005344652.tif 000024
【図９Ｃ】
0005344652.tif 000025
【図１０Ａ】
0005344652.tif 000026
【図１０Ｂ】
0005344652.tif 000027
【図１１】
0005344652.tif 000028
【図１２Ａ】
0005344652.tif 000029
【図１２Ｂ】
0005344652.tif 000030